(57)【要約】【課題】装着部品の取り付けや取り外しが簡単かつ確実に行なえる装着部品の固定構造を提供する。【解決手段】取付基板１７に開設した取付孔２６に装着部品２４を挿通すると共に固定具２７を嵌着し、該装着部品２４を取付基板１７に着脱自在に固定するようにした装着部品の固定構造であって、前記装着部品２４は、前記取付基板１７の取付孔２６に挿通する基部４０と、前記取付孔２６の周縁７８に当接する抜止部５０と、前記基部４０の外周面に設けられる第１の係合片５１，５１とを有し、前記固定具２７は、前記基部４０に嵌る環状枠８６と、前記環状枠８６の内周面に設けられ前記第１の係合片５１，５１に係合する第２の係合片８９，８９とを有し、前記第１の係合片５１，５１と前記第２の係合片８９，８９との内の少なくとも一方の係合面を、前記固定具２７の回動動作により前記取付基板１７が締め付けられるように傾く傾斜面にする。【選択図】図５
2009213536.tif 000002
【特許請求の範囲】
【請求項１】
操作パネル等の取付基板に取付孔を開設すると共に該取付孔に押しボタン等の装着部品を挿通し、前記取付孔に挿通された装着部品に固定具を嵌着して該装着部品を前記取付基板に着脱自在に固定するようにした装着部品の固定構造であって、
前記装着部品は、前記取付基板の取付孔に挿通する基部と、前記取付孔の周縁に当接する抜止部と、前記基部の外周面に設けられる第１の係合片とを有し、前記固定具は、前記基部に嵌る環状枠と、前記環状枠の内周面に設けられ前記基部に嵌った該環状枠を回動させることにより、前記取付基板と前記第１の係合片との間で該第１の係合片に係合する第２の係合片とを有し、前記第１の係合片と前記第２の係合片との内の少なくとも一方の係合面は、前記固定具の回動方向に対し該固定具の回動動作により前記取付基板が締め付けられるように傾く傾斜面となっていることを特徴とする装着部品の固定構造。
【請求項２】
前記取付基板および前記固定具の内の少なくとも一方に該固定具の回転軸を中心とする円弧状のガイド溝を形成し、他方に前記ガイド溝に嵌入すると共に前記固定具の回動に伴い該ガイド溝に沿って移動する突起を設け、前記ガイド溝の一端に前記突起が嵌合する係止部を設けることにより前記固定具がロックされるようにしたことを特徴とする請求項１に記載の装着部品の固定構造。
【請求項３】
前記装着部品の抜止部が当接する前記取付基板の取付孔の周縁を前記固定具が前記取付基板に接触する面に平行な該取付基板の基準平面に対して所定角度で傾斜させて形成すると共に、前記第１の係合片が前記第２の係合片と係合する係合面を前記装着部品の抜止部に対して前記所定角度で逆向きに傾斜させたことを特徴とする請求項１または請求項２に記載の装着部品の固定構造。
【発明の詳細な説明】
【技術分野】
【０００１】
本発明は、押しボタン等の装着部品を操作パネル等の取付基板に取り付けるための装着部品の固定構造に関し、さらに詳しくは、装着部品の取り付けや取り外しが簡単かつ確実に行なえる装着部品の固定構造に関する。
【背景技術】
【０００２】
例えば、パチンコ遊技機やスロット遊技機等の遊技機では遊技の面白味を高めるために、遊技の進行状態により遊技者が適時に使用する各種の押しボタンが遊技機前面の操作パネルに取り付けられる。下記特許文献１では、パチンコ遊技機の前面下部に設けられた球受皿の球皿カバーに押しボタンを取り付ける技術が開示されている。これによると、取付孔が設けられた球皿カバーの上面から押しボタンを挿入し、該球皿カバーの下面にて該押しボタンに略コ字形状の固定具を嵌め込んでいる。そして、この固定具と球皿カバーとをビス留めすることにより、押しボタンが球皿カバーに固定されるようにしている。
【特許文献１】２００７−６８８６５号公報
【発明の開示】
【発明が解決しようとする課題】
【０００３】
ところで、パチンコ遊技機に設置されている演出ボタンやチャンスボタン等の押しボタンは、遊技中に押圧操作される回数が非常に多く故障が発生しやすい。従って、故障による遊技の中断を未然に防ぐために、押しボタンを定期的に検査したり又は交換する等のメンテナンスが必要である。しかし、上記特許文献において開示されている発明では、上述したようにビス留めにより押しボタンを固定するようにしているため、押しボタンを着脱したり交換したりするたびに、ビスをドライバー等の工具で一つ一つ回動して取り付けたり取り外したりしなければならず、大変面倒な手間や時間が掛かりメンテナンスの作業効率が悪いという問題があった。
【課題を解決するための手段】
【０００４】
そこで、本発明は上記課題を解決する装着部品の固定構造を提供するもので、操作パネル等の取付基板に取付孔を開設すると共に該取付孔に押しボタン等の装着部品を挿通し、前記取付孔に挿通された装着部品に固定具を嵌着して該装着部品を前記取付基板に着脱自在に固定するようにした装着部品の固定構造であって、
前記装着部品は、前記取付基板の取付孔に挿通する基部と、前記取付孔の周縁に当接する抜止部と、前記基部の外周面に設けられる第１の係合片とを有し、前記固定具は、前記基部に嵌る環状枠と、前記環状枠の内周面に設けられ前記基部に嵌った該環状枠を回動させることにより、前記取付基板と前記第１の係合片との間で該第１の係合片に係合する第２の係合片とを有し、前記第１の係合片と前記第２の係合片との内の少なくとも一方の係合面は、前記固定具の回動方向に対し該固定具の回動動作により前記取付基板が締め付けられるように傾く傾斜面となっていることを特徴とする。
【０００５】
また本発明は、上記の装着部品の固定構造において、前記取付基板および前記固定具の内の少なくとも一方に該固定具の回転軸を中心とする円弧状のガイド溝を形成し、他方に前記ガイド溝に嵌入すると共に前記固定具の回動に伴い該ガイド溝に沿って移動する突起を設け、前記ガイド溝の一端に前記突起が嵌合する係止部を設けることにより前記固定具がロックされるようにしたことを特徴とする。
【０００６】
さらに本発明は、上記の装着部品の固定構造において、前記装着部品の抜止部が当接する前記取付基板の取付孔の周縁を前記固定具が前記取付基板に接触する面に平行な該取付基板の基準平面に対して所定角度で傾斜させて形成すると共に、前記第１の係合片が前記第２の係合片と係合する係合面を前記装着部品の抜止部に対して前記所定角度で逆向きに傾斜させたことを特徴とする。
【発明の効果】
【０００７】
請求項１に記載の装着部品の固定構造では、取付基板の取付孔に挿通された装着部品に固定具を嵌着し、該固定具の回動動作により該装着部品に設けられた第１の係合片と該固定具に設けられた第２の係合片とを係合させ、装着部品を取付基板に簡単かつ強固に固定している。また、固定具を逆方向に回転させ第１の係合片と第２の係合片の係合を解除すれば、装着部品を取付基板から簡単に取り外すことができる。従って、装着部品の取付基板への取り付けおよび取り外しが手間や時間を掛けずに簡単に行えるようになり、装着部品交換等のメンテナンス作業の能率を向上させることができる。
【０００８】
請求項２に記載の装着部品の固定構造では、突起が円弧状のガイド溝に嵌入し、固定具の回転動に伴って該突起が該ガイド溝に沿って移動することから、固定具は円弧状のガイド溝に導かれながら回動されるようになる。従って、装着部品に設けられた第１の係合片と固定具に設けられた第２の係合片とがよりスムーズに且つ確実に係合できるようになる。また、ガイド溝の一端に突起が嵌合する係止部が設けられることから、固定具を確実にロックして、該固定具が逆回転して緩んでしまうことを防止できる。従って、例えば振動等の要因により固定具が意図せずに逆回転し、第１の係合片と第２の係合片との係合が必要もなく解除されてしまうことを防止できる。
【０００９】
請求項３に記載の装着部品の固定構造では、装着部品を取付基板の取付孔に挿入した際に該装着部品の抜止部が当接する取付孔の周縁を、取付基板の基準平面に対して所定角度で傾斜させて形成している。また同時に、装着部品の第１の係合片が固定具の第２の係合片と係合する係合面を、取付孔の周縁に当接する該装着部品の抜止部に対して前記所定角度で逆向きに傾斜させて形成している。そうすると、装着部品の抜止部を取付孔の周縁に当接させて該装着部品を取付基板の基準平面に対して傾斜させて維持しつつ、装着部品の第１の係合片と固定具の第２の係合片とを係合させることができるようになる。従って、取付基板の基準平面に対して所定の傾斜角度を持たせて装着部品を該取付基板に着脱することが簡単にできるようになる。また、装着部品を取付基板に取り付ける際の向きを任意に設定できることから、該装着部品の操作性や視認性等の扱い易さを向上させることができる。
【発明を実施するための最良の形態】
【００１０】
次に本発明に係る装着部品の固定構造の実施形態として、パチンコ遊技機の演出ボタン２４を、操作パネル１７に開設された取付孔２６に挿通し、この演出ボタン２４に固定具２７を嵌め込んで固定する例を説明する。なお、上記の操作パネル１７と演出ボタン２４は特許請求の範囲における取付基板と装着部品に其々対応する。
【００１１】
以下、本発明のパチンコ遊技機の実施形態を図面に従って説明する。このパチンコ遊技機は、プリペイドカードを使用して遊技をするタイプのもので、パチンコ遊技機間にカード式球貸装置（図示せず。）が配設される。図１は本発明が適用されるパチンコ遊技機の外観斜視図である。また、図２は球皿カバーと操作パネルを分解して示す前から見た透明板保持枠の斜視図である。先ず、パチンコ遊技機Ｐの構成を説明する。縦長長方形状に枠組みされた外枠１の前面に、該外枠１の一側に設けたヒンジ機構２を介して内枠３が開閉自在に軸着される。該内枠３には、図柄を変動表示する可変表示装置４や遊技球の入賞により該可変表示装置４を作動させる始動入賞口５等の盤面部品が装着された遊技盤６が配設されている。内枠３の前面に、扉体としての透明板保持枠７とその下方に位置して同じく扉体としての前板８とが、内枠３の一側に設けたヒンジ機構９により其々独立して開閉自在に軸支される。
【００１２】
前記透明板保持枠７の中央に、遊技盤６の前面が臨む略円形状の開口７ａが形成される。該開口７ａを囲うようにしてその前面に装飾部材１０が設けられ、装飾効果を高めるようにしている。前記開口７ａにガラス製または合成樹脂製の透明板１１が嵌め込まれ、前記遊技盤６前面の遊技部が該透明板１１を通して視認できるようになっている。そして、透明板保持枠７の前面下部に、球受皿としての上部球受皿１２が装着される。また、前板８の前面に球受皿としての下部球受皿１３が装着され、この下部球受皿１３の一側方に操作ハンドル１４が設けられる。
【００１３】
前記上部球受皿１２は、透明板保持枠７の前面に例えばビス締めにより固着され遊技球を貯留する皿部１５と、該皿部１５の前面を覆うようにして透明板保持枠７の前面に着脱自在に取り付けられる球皿カバー１６とを有し、これらは分離可能に設けられる。また、皿部１５の上面一側すなわち操作ハンドル１４側に、後記する演出ボタン２４や球貸操作板２５を備えた操作パネル１７が配置される。該操作パネル１７は、球皿カバー１６の上端内縁と透明板保持枠７の前面との間で挟まれ、前端縁が球皿カバー１６の上端縁に掛かり、透明板保持枠７から球皿カバー１６を取り外さない限り取り外せないようになっている。
【００１４】
前記皿部１５には、底壁１８ａの後端側を残してその周縁に、その周囲を囲うようにして立壁１８ｂが立設されている。底壁１８ａの上面は操作ハンドル１４側へ緩やかに下傾し、その下流側に遊技球を一列に整列させて流下させる整流部１９が設けられる。そして、その流下端であって透明板保持枠７の後面に、遊技球を一個ずつ打球発射位置（図示せず。）に供給する打球供給装置（図示せず。）が設けられている。透明板保持枠７に、皿部１５と連通する球排出口２１が開設される。図示は省略するが、該球排出口２１はパチンコ遊技機Ｐの裏側に配置される球払出装置と球払出樋を介して連通している。
【００１５】
そこで、例えば、遊技をするために貸し出されたり入賞球の発生により払い出される遊技球としての貸球または賞球は、前記球払出装置から球払出樋に排出され、前記球排出口２１を介して皿部１５に貯留される。貯留された遊技球は、下流側へ流下すると共に打球供給装置を介して打球発射位置へ供給される。球皿カバー１６の内側でありかつ操作パネル１７の下方に位置して透明板保持枠７の前面に、皿部１５に貯留された遊技球を球抜きするための球抜装置２２が配置される。該球抜装置２２には、その一側に前側から押動することにより水平面内で回動する回動レバー２２ａが設けられる。該回動レバー２２ａは、スプリング等の適宜付勢手段により前方へ付勢され、常態では前側を向いて停止している。そして、該回動レバー２２ａを押すことにより、前記皿部１５における整流部１９の底面の一部が開口して球抜きできるようになっている。
【００１６】
また、図２に示すように、透明板保持枠７には、前記上部球受皿１２が装着される位置の両側寄りと中央下部の三箇所に、前記透明板保持枠７の前面から後面へ貫通する略長方形状の係止孔２３，２３，２３が開設される。（透明板保持枠７の一側寄りであって皿部１５の下側に開設された係止孔２３は、該皿部１５の陰となり図示されていない。）これら各係止孔２３のうち、中央の係止孔２３は横長に形成され、両端の係止孔２３，２３は縦長となるように形成されている。また、各係止孔２３の中央部は、該係止孔２３の短手方向の幅よりも少し長い直径を有する円形状に形成されている。
【００１７】
前記操作パネル１７には、その上面に押しボタン式の演出ボタン２４と球貸操作板２５とが取り付けられる。演出ボタン２４は、操作パネル１７に開設された取付孔２６に該操作パネル１７の表側から嵌入し、該操作パネル１７の裏側にて演出ボタン２４の外周面に環状の固定具２７を嵌めて係合することにより固定される。この演出ボタン２４を固定するための構造および方法は後に詳しく説明する。球貸操作板２５は、球貸ボタン２８と返却ボタン２９と残高表示部３０とを備えたプリント配線板３１からなる。前記プリント配線板３１は前記カード式球貸装置に電気的に接続され、球貸ボタン２８を押すことにより所定数の遊技球が球排出口２１を介して皿部１５に排出され、返却ボタン２９を押すことによりカード式球貸装置に挿入されたプリペイドカードの返却が行なわれる。また、プリペイドカードの残り度数は、残高表示部３０に数値で表示されるようになっている。
【００１８】
球皿カバー１６は、前面が前側へ膨出した湾曲状に形成され、上面が開放すると共にその上端縁に内側へ屈曲するリブ片３２が周設される。また、球皿カバー１６の後面も開放される。透明板保持枠７の前面に取り付けられる関係上、球皿カバー１６の後端縁はほぼ一直線上に形成される。球皿カバー１６の内周壁面であって特に上端縁のリブ片３２の下方に、少しの隙間を離して複数の補強リブ３３が列設されている。この隙間に、前記操作パネル１７の前端縁が嵌まり込むことになる。球皿カバー１６の一側（操作ハンドル１４側）の外側面に、球抜用の操作ボタン３４が装着される。該操作ボタン３４は前後方向へ摺動し出没自在に設けられ、その後面に後方へ突出する操作杆（図示せず。）が設けられる。該操作杆の後端は、前記球抜装置２２の回動レバー２２ａと対向位置しており、操作ボタン３４を前側から押動することによって、操作杆の後端が後方へ移動して回動レバー２２ａをその付勢に抗して後方へ回動させる。これにより、整流部１９における底面の一部が開放されて、皿部１５に貯留された遊技球の球抜きが行なわれる。球抜きが終わった後に操作ボタン３４から指を離せば、該操作ボタン３４はその付勢により元の位置に復帰することになる。
【００１９】
球皿カバー１６の同じく内周壁面の両側寄りと中央下部の３個所に、それぞれ後方へ向かって延びる支持突部３６，３６，３６が設けられている。（図２において、操作ボタン３４寄りの支持突部３６は、球皿カバー１６の陰となり図示されていない。）前記各支持突部３６は、前後方向から見た断面が略長方形状であって、中央の支持突部３６は横長に、両端の支持突部３６，３６は縦長に形成されている。また、各支持突部３６の後端面には、球皿カバー１６を透明板保持枠７の前面に固定するための係止部材３７が軸着される。係止部材３７は、両端面が開放した短筒３８の外周面に、一対の指掛片３９，３９を該短筒３８の直径方向に位置するように突設して形成されている。そして、該係止部材３７は、前記支持突部３６の前後方向に垂直な面内で回動自在となるように、該各支持突部３６の後端面に突設された支軸（図示せず。）に取り外し不能に軸支される。この係止部材３７を短筒３８の軸方向から投影した投影形状は、前記支持突部３６を前後方向から見た断面と略同形状であり、且つ、前記係止孔２３の形状より一回り小さくなっている。
【００２０】
このような各係止部材３７の其々の取付位置は、前記透明板保持枠７の各係止孔２３の開設位置と正対している。そして、前記球皿カバー１６は、前記各係止部材３７を前記各係止孔２３に挿通させつつ、前記皿部１５を覆うようにして透明板保持枠７の前面に取り付けられる。加えて、透明板保持枠７の後側に突出した状態になっている各係止部材３７を其々９０度回動させ、該各係止部材３７が、該係止孔２３の外周縁輪郭よりも外側へ食み出し、該係止孔２３に対して十文字状に交差するようして係止することができる。こうして、球皿カバー１６は透明板保持枠７の前面にしっかりと固定される。
【００２１】
次に本発明の装着部品の固定構造の主要構成である、演出ボタン２４と、取付孔２６が開設された操作パネル１７と、固定具２７とを説明する。先ず、演出ボタン２４の構成を図に従い説明する。図３は演出ボタンの分解斜視図、図４は演出ボタンのケース体の底面図である。
【００２２】
演出ボタン２４は、基部４０と、前記基部４０に対して出没動自在に嵌入される押圧部４１と、前記基部４０と前記押圧部４１との間に介される圧縮コイルスプリング等の弾性体４２とから大略構成される。前記基部４０は、上面が開口した断面略楕円形の筒状のケース体４３と、該ケース体４３に下方から挿入されるプリント配線板４４と、該ケース体４３の底部に嵌められる底板４５とから構成される。また、前記押圧部４１は、断面略楕円形の筒状の胴体４６と、該胴体４６の上部に嵌められる蓋体４７とから構成される。
【００２３】
前記基部４０のケース体４３は、大径の上筒部４８と小径の下筒部４９とを備え、該上筒部４８の上端縁には、周囲へ張り出すように鍔部５０が形成される。なお、鍔部５０は特許請求の範囲における抜止部に対応する。上筒部４８の外周面の下部であって該上筒部４８の楕円形断面の長軸方向両端部に、該外周面より外方へ略四角形状に突出する一対の係合片５１，５１が設けられる。なお、係合片５１，５１は特許請求の範囲における第１の係合片に対応する。また、上筒部４８の外周面であって該上筒部４８の短軸方向の一方端に、該上筒部４８の中心軸方向に平行な凸状筋５２が形成される。一方、下筒部４９の外周面の下端であって該下筒部４９の楕円形断面の長軸方向両端部に、係止爪５３，５３が形成される。
【００２４】
前記ケース体４３の内部であって、上筒部４８の内周面の下端位置には、該ケース体４３の内方へ突出する段部５４が周設される。加えて、段部５４よりもさらに一段下がるようにして段部５５が形成され、その中央に通孔５６が開設される。また、段部５４の長軸方向両端に一対の貫通孔５７，５７が形成される。各貫通孔５７は、前記下筒部４９の外周面に形成された一対のガイド片５８，５８間の隙間、および、一対のガイド片５９，５９間の隙間に其々連通している。
【００２５】
前記下筒部４９には、プリント配線板４４が内設される。このプリント配線板４４は、前記押圧部４１の出没動作を検出するセンサ６０と、前記段部５５で囲まれる通孔５６に挿通される発光ダイオード６１と、電気ケーブル（図示せず）が接続されるソケット６２とが設けられ、これらは電気的に接続されている。そして、プリント配線板４４は、その両端部が下筒部４９内に形成された一対の支持溝６３，６３に挟まれるようにして該下筒部４９の下方側から挿入され、前記ケース体４３の底部に嵌められる底板４５により該下筒部４９内に保持される。この底板４５は下筒部４９の楕円形断面と同形状であり、プリント配線板４４のソケット６２の位置に対応して矩形孔６４が開設される。また、底板４５の長軸方向両端に係止孔６５を有する一対の起立片６６，６６が立設される。これら各起立片６６の係止孔６５は、底板４５を下筒部４９の底部に嵌めると該下筒部４９の各係止爪５３と係合し、該底板４５が下筒部４９の底部に固定されるようになっている。
【００２６】
前記押圧部４１の前記胴体４６は、その外周面の下部に該外周面より若干外方へ迫り出した段部６７が形成され、さらに、この段部６７には、押圧部４１の中心軸方向に平行な複数の凸状筋６８が形成される。また、胴体４６の外周面の短軸方向両端には、該胴体４６の周方向に平行な凸状の係止爪６９が形成される。一方で、胴体４６の外周面の長軸方向両端には、該胴体４６の下端より下方へ延設される一対の係止突起７０，７０が設けられ、これら各係止突起７０の下端には、係止爪７１が其々形成される。胴体４６の内部には、底面が下方へ向かって漸次狭径になる円錐状壁部７２が形成され、その最下部に通孔７３が開設される。また、胴体４６の下部であって前記通孔７３の側部には、下方へ向かって突出し、前記ケース体４３の通孔５６に挿通される突起片７４が設けられる。この突起片７４は、押圧部４１の出没動に伴なって上下動し、この上下動が前記プリント配線板４４のセンサ６０により検出され、該押圧部４１の出没動が電気的に認識されることになる。
【００２７】
前記蓋体４７は、着色された半透明の合成樹脂からなり、略楕円形の天板７５の外縁に側壁７６を垂設して形成される。また、側壁７６には、前記係止爪６９に対応位置する係止孔７７が開設されている。蓋体４７は、前記胴体４６に上方から嵌め込まれ、該胴体４６の外周面の係止爪６９と該蓋体４７の側壁７６の係止孔７７との係合により、胴体４６に固着される。なお、前記発光ダイオード６１が発する光は前記ケース体４３の通孔５６および前記胴体４６の通孔７３を通じて蓋体４７に達し、該蓋体４７を内部から照射する。
【００２８】
このような押圧部４１は、圧縮コイルスプリング等の弾性体４２を介して前記ケース体４３の上筒部４８内に嵌入される。このとき、押圧部４１の各係止突起７０は前記段部５４に開設された各貫通孔５７に挿通され、該各係止突起７０下端の各係止爪７１が、該ケース体４３の外周面に形成されたガイド片５８，５８間およびガイド片５９，５９間に其々位置する。そして、押圧部４１は、弾性体４２の弾発力により上方へ付勢されると共に、前記各係止爪７１が前記ケース体４３外周の各係合片５１の下面に当接することにより、上方への移動が制止される。これにより、前記押圧部４１は前記ケース体４３の上筒部４８内に、常に上方へ付勢されるようにして出没動自在に保持される。なお、この出没動作は、前記胴体４６の外周面の段部６７に設けられた凸状筋６８が前記ケース体４３の上筒部４８の内周面を摺動することでスムーズに行なわれる。
【００２９】
次に、操作パネル１７を説明する。図５は演出ボタンと操作パネルと固定具の分解斜視図、図６は分解一部断面図である。また、図７は操作パネルの底面図である。前記操作パネル１７は、その中央付近に楕円状の取付孔２６が開設され、この取付孔２６の形状は前記演出ボタン２４の上筒部４８の横断面と略同形である。また、取付孔２６の周縁７８には、該周縁７８より若干内方へ迫り出した環状段部７９が周設される。この環状段部７９は、前記演出ボタン２４を取付孔２６へ挿入した際に、該演出ボタン２４の鍔部５０が当接し、それ以上の演出ボタン２４の挿入を制止するものである。また、環状段部７９の長軸方向両端にあたる位置に一対の切欠８０，８０が設けられ、加えて、短軸方向の一方端にあたる位置に小切欠８１が設けられる。
【００３０】
一方、図６および図７に示したように、操作パネル１７の下面には、前記一対の切欠８０，８０の外側にあたる位置に、該操作パネル１７の下方へ突出する円柱状の一対の突起８２，８２が設けられる。また、前記取付孔２６の外側であって前記小切欠８１に対向する位置、すなわち取付孔２６を挟んで該小切欠８１とは反対側の位置に、側面が円弧状に形成されたガイド壁８３が設けられる。これら各突起８２とガイド壁８３には、補強リブ８４と補強リブ８５とが其々連結され、各突起８２とガイド壁８３は操作パネル１７の下面に強固に支持されている。
【００３１】
前記補強リブ８４は、図６に示したように、下部８４ａが直線状に形成されていて、該固定具２７の上端面２７ａが密着状態で接触するようになっている。そして、操作パネル１７の基準平面Ｈは、前記固定具２７の上端面２７ａと前記補強リブ８４の下部８４ａとが当接する面に対して平行である。一方で、前記取付孔２６の周縁７８は、前記基準平面Ｈに対して適宜角度の傾斜をつけて形成されている。従って、前記演出ボタン２４は、操作パネル１７の基準平面Ｈに対して一定の傾斜角を持った状態で、前記取付孔２６に挿入されるようになっている。また、演出ボタン２４の上筒部４８の外周面に形成された各係合片５１の上面５１ａは、該演出ボタン２４の鍔部５０に対して前記一定の傾斜角で逆向きに傾斜するように形成されている。すなわち、演出ボタン２４の鍔部５０が前記取付孔２６の周縁７８に嵌った状態で、各係合片５１の上面５１ａが操作パネル１７の基準平面Ｈに略平行になるように形成されている。同様に、演出ボタン２４の下筒部４９の外周面に形成された各ガイド片５８，５９の下面５８ａ，５９ａも、該演出ボタン２４の鍔部５０に対して前記一定の傾斜角で逆向きに傾斜するように形成されている。
【００３２】
次に、固定具２７を説明する。図８は固定具の平面図である。前記固定具２７は、円筒形の環状枠８６を有し、該環状枠８６の上端周縁には、内側へ突出する内鍔部８７ａ，８７ｂが形成される。これら内鍔部８７ａと内鍔部８７ｂとの間には、一対の切欠８８，８８が該環状枠８６の内面に対向するように設けられている。また、内鍔部８７ａは、その上端面が環状枠８６の上端面（固定具２７の上端面２７ａと同じ）と同一面となるように形成されているのに対し、内鍔部８７ｂは、その上端面が環状枠８６の上端面よりも若干上方に位置するように形成されている。すなわち、図６に示したように、内鍔部８７ｂの上端面は環状枠８６の上端面と同一面上になく、段差がついている。
【００３３】
前記環状枠８６の内面にて互いに対向位置する一対の係合片８９，８９が、内鍔部８７ａの一端および内鍔部８７ｂの一端であって前記切欠８８，８８に其々隣接する位置に形成される。そして、各係合片８９の下面８９ａは、環状枠８６の周方向に対して同じ向きに傾く傾斜状に形成されている。すなわち、各係合片８９の下面８９ａの傾斜は、環状枠８６の中心に対して回転対称状に設けられている。これら各係合片８９の下面８９ａは、前記演出ボタン２４を前記操作パネル１７に固定するに際して、該演出ボタン２４の各係合片５１の上面５１ａと面同士が合わさるように当接し係合する面である。なお、係合片８９，８９は特許請求の範囲における第２の係合片に対応する。
【００３４】
さらに、環状枠８６の外周面であって前記切欠８８，８８と前記係合片８９，８９とが隣接して設けられた位置に、一対の突出片９０，９０が設けられる。これら各突出片９０には、前記環状枠８６と同心円状のガイド溝９１，９１が開設される。各ガイド溝９１の一端寄りには、溝幅を若干狭めるように係止凸部９２を突設することにより、係止部９３が設けられる。そして、これら各ガイド溝９１には、固定具２７を演出ボタン２４に嵌着する際に、前記操作パネル１７の下面に形成された一対の突起８２，８２が其々嵌入することになる。
【００３５】
次に、本発明の装着部品の固定構造により、演出ボタン２４に固定具２７を嵌着し該演出ボタン２４を操作パネル１７の取付孔２６に取り付ける方法を説明する。図９は固定具により演出ボタンを操作パネルに取り付けた状態の一部断面図、図１０は一部断面正面図、図１１は底面図である。
【００３６】
演出ボタン２４は、操作パネル１７の取付孔２６に該操作パネル１７の上面側から挿入される。この際には、演出ボタン２４の外周面に形成された凸状筋５２が取付孔２６の小切欠８１に挿通されると共に、演出ボタン２４の外周面に形成された係合片５１，５１が、取付孔２６の一対の切欠８０，８０に挿通される。このようにして演出ボタン２４を取付孔２６に挿入すると、該演出ボタン２４の鍔部５０の下面が該取付孔２６の環状段部７９の上面に当接したところで、該演出ボタン２４のそれ以上の挿入が停止される。この状態で、演出ボタン２４の鍔部５０は取付孔２６に丁度嵌合し、該演出ボタン２４は操作パネル１７の基準平面Ｈに対して一定の傾斜角で傾斜している。また、演出ボタン２４の基部４０は操作パネル１７の下面側へ突出されている。
【００３７】
固定具２７は、操作パネル１７の下面側へ突出された前記基部４０に下方側から嵌め込まれる。この際には、固定具２７の内周に形成された一対の切欠８８，８８の位置を、演出ボタン２４の外周面に形成された係合片５１，５１の位置と合わせ、各係合片５１が内鍔部８７ａ，８７ｂに接触することなく各切欠８８，８８に挿通されるようにする。また、操作パネル１７下面の各突起８２を固定具２７の各ガイド溝９１の始端部９４に嵌入させると共に、環状枠８６の外周面を操作パネル１７下面のガイド壁８３の側面に当接させるようにする。こうして、固定具２７の環状枠８６が演出ボタン２４の基部４０の外周面を囲みつつ、該固定具２７の上面が操作パネル１７の下面に当接した状態にする。
【００３８】
次に、固定具２７を演出ボタン２４に対して回動させる。この時、各ガイド溝９１の始端部９４に嵌入された各突起８２が、該各ガイド溝９１の係止部９３に向かって移動するようにし、また、環状枠８６の外周面がガイド壁８３の側面に当接しながら摺動するようにする。これにより、固定具２７の回転に伴い、固定具２７の各係合片８９の下面８９ａと、演出ボタン２４の各係合片５１の上面５１ａとが当接し係合する。固定具２７の各係合片８９の下面８９ａは、其々回転の周方向に沿って傾斜状に形成されたことから、固定具２７の回転が進行するに従って、演出ボタン２４と固定具２７とが締め付けられるようにして両者の係合の度合が徐々に増加する。そして、演出ボタン２４と固定具２７との係合により、該演出ボタン２４と該固定具２７とが操作パネル１７を両面から挟持するようにして、演出ボタン２４が操作パネル１７に固定される。また、固定具２７の回動は、操作パネル１７の下面に設けられた各突起８２が各ガイド溝９１の係止部９３に嵌合し、該固定具２７がロックされるまで行なう。これにより、固定具２７の意図しない緩みや逆回転が防止される。
【００３９】
なお、演出ボタン２４を取り外すには、固定具２７の取り付け時とは逆向きに該固定具２７を回転させればよい。こうして、固定具２７の係合片８９，８９と演出ボタン２４の係合片５１，５１との係合を解除させることにより、取り外しを簡単に行なうことができる。従って、演出ボタン２４の交換等のメンテナンスを効率良く行なうことができる。
【００４０】
上述した実施の形態では、パチンコ遊技機において、取付基板としての操作パネル１７に装着部品としての演出ボタン２４を固定具２７によって取り付ける構成を示したが、本発明はこれに限られるものではない。例えば、ランプやソケットといった、取付孔に挿入して固定するタイプの装着部品の取り付けにおいて広く適用でき、また、パチンコ遊技機への取り付けに限らず、取付孔が開設された取付基板に対して一般的に適用することができる。
【図面の簡単な説明】
【００４１】
【図１】本発明に係る装着部品の固定構造により演出ボタンが取り付けられたパチンコ遊技機の外観斜視図。
【図２】球皿カバーと操作パネルを分解して示す前から見た透明板保持枠の斜視図。
【図３】演出ボタンの分解斜視図。
【図４】演出ボタンのケース体の底面図。
【図５】演出ボタンと操作パネルと固定具の分解斜視図。
【図６】演出ボタンと操作パネルと固定具の分解一部断面図。
【図７】操作パネルの底面図。
【図８】固定具の平面図。
【図９】固定具により演出ボタンを操作パネルに取り付けた状態の一部断面図。
【図１０】固定具により演出ボタンを操作パネルに取り付けた状態の一部断面正面図。
【図１１】固定具により演出ボタンを操作パネルに取り付けた状態の底面図。
【符号の説明】
【００４２】
１５            皿部
１６            球皿カバー
１７            取付基板（操作パネル）
２４            装着部品（演出ボタン）
２６            取付孔
２７            固定具
４０            基部
４１            押圧部
４３            ケース体
４４            プリント配線板
４５            底板
４６            胴体
４７            蓋体
５０            抜止部（鍔部）
５１            第１の係合片（係合片）
７８            周縁
８２            突起
８６            環状枠
８９            第２の係合片（係合片）
９１            ガイド溝
９３            係止部
Ｈ              基準平面
【図１】
2009213536.tif 000003
【図２】
2009213536.tif 000004
【図３】
2009213536.tif 000005
【図４】
2009213536.tif 000006
【図５】
2009213536.tif 000007
【図６】
2009213536.tif 000008
【図７】
2009213536.tif 000009
【図８】
2009213536.tif 000010
【図９】
2009213536.tif 000011
【図１０】
2009213536.tif 000012
【図１１】
2009213536.tif 000013